【手続補正書】
【提出日】平成19年6月12日(2007.6.12)
【手続補正１】
【補正対象書類名】明細書
【補正対象項目名】００２１
【補正方法】変更
【補正の内容】
【００２１】
開口１３９は、球体ＰＢの直径よりも僅かに大きい直径を有する円形に形成されている。しかし、開口１３９は方形等の多角形であってもよい。
換言すれば、開口１３９は球体ＰＢが二個同時に通過しない大きさであればよい。
また、フランジ１３８の周壁１３６よりも周縁側下面には上押出リブ１４０が形成されている。
上押出リブ１４０は、開口１３９の延長上に球体ＰＢの保留部１５２を形成するよう下方に断面矩形に突出している。
【手続補正２】
【補正対象書類名】明細書
【補正対象項目名】００２２
【補正方法】変更
【補正の内容】
【００２２】
上押出リブ１４０は、周壁１３６から回転ディスク１１４の周方向へ伸びている。
球体ＰＢをスムーズに回転ディスク１１４の周方向に押し出すため、上押出リブ１４０は図６に示すように、回転ディスク１１４の周縁に近づくほど回転方向の後位に位置するよう湾曲させて形成することが好ましい。
第２回転ディスク１２６の上面中央部には、第１回転ディスク１２２の下端部がフィットされる円形凹部１４８（図９参照）が形成されている。
【手続補正３】
【補正対象書類名】明細書
【補正対象項目名】００２３
【補正方法】変更
【補正の内容】
【００２３】
上押出リブ１４０に相対して凹部１４８の外周の第２回転ディスク１２６の上面に下押出リブ１５０が形成されている。
したがって、上押出リブ１４０と下押出リブ１５０とにより、開口１３９に連続する保留部１５２が形成される。
また、上押出リブ１４０の下端と下押出リブ１５０の上端との間には隙間１５４が形成される。
誘導溝１４６の上方開口は、後述のプレート１７２により覆われている。
【手続補正４】
【補正対象書類名】明細書
【補正対象項目名】００２６
【補正方法】変更
【補正の内容】
【００２６】
回転ディスク１１４が回転した場合、球体ＰＢは回転ディスク１１４の回転によって遠心力を受け、周壁１３６に向かって移動する。
移動した球体ＰＢは、誘導溝１４６から開口１３９を通って保留部１５２に達する。
保留部１５２の球体ＰＢは、ガイド穴１６２の内面１６４によって案内され、回転ディスク１１４と共に回動する。
【手続補正５】
【補正対象書類名】明細書
【補正対象項目名】００２９
【補正方法】変更
【補正の内容】
【００２９】
誘導溝１４６及び開口１３９の幅（第１回転ディスク１２２の周方向）は、球体ＰＢの直径よりも僅かに大きく設定されている。
また、開口１３９に保留部１５２を加えた長さは（第１回転ディスク１２２の半径方向）、球体ＰＢの直径の約１．５倍の範囲で形成されている。
さらに、誘導溝１４６を加えた長さは、球体ＰＢの直径のほぼ２倍に形成されている。
【手続補正６】
【補正対象書類名】明細書
【補正対象項目名】００３１
【補正方法】変更
【補正の内容】
【００３１】
図９に示すように、回転ディスク１１４はサブヘッド１０８Sのすぐ下方に位置し、受入孔１２８のほぼ全面がサブヘッド１０８Sの下端開口１７０に相対している。
詳述すると、誘導溝１４６はサブヘッド１０８Sが形成されたプレート１７２の下方に位置している。
したがって、サブヘッド１０８S内の球体ＰＢは受け入れ孔１２８に進行した後、同時に複数の誘導溝１４６に移動することができる。
そして、球体PBは、開口１３９及び保留部１５２に保留される。
【手続補正７】
【補正対象書類名】明細書
【補正対象項目名】００３２
【補正方法】変更
【補正の内容】
【００３２】
第１出口１２０A、第２出口１２０Bについて図５及び図９を参照しつつ説明する。
図５に示すように、第１出口１２０A及び第２出口１２０Bは、回転ディスク１１４の回転軸心を中心に点対称に形成された断面矩形の第１出口溝１７４A、第２出口溝１７４Bをベース１１８に固定されたプレート１７２によって覆うことにより構成されている。
すなわち、第１出口１２０A及び第２出口１２０Bは、回転軸線１３２から放射状に伸びるトンネルであり、そのガイド穴１６２に面する端面は、保留部１５２の回転経路に面している。
【手続補正８】
【補正対象書類名】明細書
【補正対象項目名】００３３
【補正方法】変更
【補正の内容】
【００３３】
第１出口溝１７４Ａ及び第２出口溝１７４Ｂの底面は平面である。
出口は、本実施例に示す２箇所の他、３箇所以上にすることができる。
しかし、第１出口１２０Aまたは第２出口１２０Bに達するまでに球体ＰＢが保留部１５２に移動するように予備区間を配置する必要がある。
そのため、回転ディスク１１４の直径が大径化するので出口は２箇所が好ましい。  しかし、一箇所にすることも可能である。
【手続補正９】
【補正対象書類名】明細書
【補正対象項目名】００３７
【補正方法】変更
【補正の内容】
【００３７】
払出ガイド１７８が隙間１５４に位置する場合、保留部１５２に位置する球体PBは、この払出ガイド１７８に案内されて出口１２０Ａに向けて案内される。  第２出口１２０Ｂに対しても同様に払出ガイド１７８が取り付けられているがアクチュエータは図示を省略してある。
したがって、出口１２０Aと同様に球体PBは案内される。
払出ガイド１７８は、球体ＰＢが衝突し、かつ、擦るので、耐摩耗性のある材料、例えば、ステンレスで作ることができるが、耐摩耗性樹脂を用いることができる。  また、払出ガイド１７８は、装着しないことができる。
なぜなら、回転ディスク１１４と一体に回転する球体PBに遠心力が作用し、第１出口１２０A若しくは第２出口１２０Bへ自ら移動するからである。
【手続補正１０】
【補正対象書類名】明細書
【補正対象項目名】００３９
【補正方法】変更
【補正の内容】
【００３９】
次に減速機構１９６（図８参照）を説明する。
被動歯車１２４（図９参照）は、ガイド穴１６２に隣接配置されたギヤ穴１９８にほぼ垂直に固定されたシャフト２００に回転自在に支持された駆動ギヤ２０２と噛み合っている。
この駆動ギヤ２０２は、一体に形成された被動歯車２０４を介してベース１１８に固定された電動モータ１９４の出力軸２０６に固定されたギヤ２０８と噛み合っている。
この構成により、回転ディスク１１４は、電動モータ１９４によって所定の速度で回転される。
【手続補正１１】
【補正対象書類名】明細書
【補正対象項目名】００４３
【補正方法】変更
【補正の内容】
【００４３】
検知片２２４Ａの先端部は、プレート１７２に固定したセンサ２２６Ａの検知スペース２２８Ａに出入りする。
本実施例において、センサ２２６Ａは、検知スペース２２８Ａを挟んで投光部と受光部が対向配置した光センサであるが、検知片２２４Ａ、したがって、レバー２１４Ａの移動を検知できるものであれば他のセンサに変更することができる。
【手続補正１２】
【補正対象書類名】明細書
【補正対象項目名】００５２
【補正方法】変更
【補正の内容】
【００５２】
第１回転ディスク１２２の受入孔１２８に位置する球体ＰＢは、底部１３０の下向き斜面によって転がり落ち、周壁１３６に向かって転がる傾向を有している。
これにより、誘導溝１４６に位置した球体ＰＢは開口１３９そして保留部１４２に移動する。
第１出口１２０Ａまたは第２出口１２０Ｂに相対しない球体ＰＢはガイド穴１６２の内面１６４に停止され、保留部１５２に保留される。
【手続補正１３】
【補正対象書類名】明細書
【補正対象項目名】００５４
【補正方法】変更
【補正の内容】
【００５４】
図３に示すように、誘導溝１４６、開口１３９及び保留部１５２の列は受入孔１２８の全周にわたって複数形成されているので、球体ＰＢは同時に複数の保留部１５２に保留されることが出来る。
このため、保留部１５２が第１出口１２０Ａまたは第2出口１２０Ｂに相対した場合、球体ＰＢは遠心力及び上押出リブ１４０及び下押出リブ１５０によって第1出口１２０Ａまたは第2出口１２０Ｂに移動される。
【手続補正１４】
【補正対象書類名】明細書
【補正対象項目名】００５５
【補正方法】変更
【補正の内容】
【００５５】
さらに、払出ガイド１７８が保留部１５２を横断しているため、前記のように遠心力で移動しない場合であっても、払出ガイド１７８によって強制的に案内されて第1出口１２０Ａ又は第２出口１２０Ｂに移動される。
回転転ディスク１２２が高速回転しても第１出口１２０A又は第２出口１２０Bの手前までの準備区間における複数の保留部１５２には必ず球体ＰＢが保留されるため、それら球体PBは歯抜けすることなく払い出されることができる。
したがって、球体ＰＢの払出数は、実質的に重力の影響を受けることがない。
【手続補正１５】
【補正対象書類名】明細書
【補正対象項目名】００５９
【補正方法】変更
【補正の内容】
【００５９】
センサ２２６Ａおよび２２６Ｂからの信号が所定数になった場合、換言すれば所定数の球体ＰＢが払い出された場合、電動モータ１９４が停止され、電気ブレーキユニット２３４が作動して回転ディスク１１４は急速停止する。
したがって、回転ディスク１１４は急速停止されるので、球体ＰＢの過払出を生じない。
さらに、ヘッド１０８、サブヘッド１０８Ｓ内の球体ＰＢが減少し、結果として最下の球体ＰＢの上に他の球体ＰＢが載っていない場合においても、球体ＰＢに遠心力が作用するので、球体ＰＢは誘導溝１４６から開口１３９に移動し、保留部１５２に保留される。